(57)【要約】【課題】省電力化を図るとともに良好な仕上がり状態を得ることのできる加熱調理器を提供する。【解決手段】調理物Ｗが収納される加熱室４と、加熱室４を加熱する加熱部２３、２４、３１と、動作プログラム及び調理メニューを記憶するとともに開始された調理の進行状況及び調理条件の調理データを記憶する記憶部５２と、調理操作を行う操作部４２とを備え、調理停止状態で所定時間放置すると電源を自動停止する加熱調理器１において、調理を一時停止して電源が自動停止した後に電源が再投入された際に記憶部５２から調理データを読み出して一時停止された調理を継続して行うようにした。【選択図】図５
2013167422.tif 000002
【特許請求の範囲】
【請求項１】
調理物が収納される加熱室と、前記加熱室を加熱する加熱部と、動作プログラム及び調理メニューを記憶するとともに開始された調理の進行状況及び調理条件の調理データを記憶する記憶部と、調理操作を行う操作部とを備え、調理停止状態で所定時間放置すると電源を自動停止する加熱調理器において、調理を一時停止して電源が自動停止した後に電源が再投入された際に、前記記憶部から前記調理データを読み出して一時停止された調理を継続して行うことを特徴とする加熱調理器。
【請求項２】
調理を一時停止して電源が自動停止される際に、前記調理データを前記記憶部に記憶したことを特徴とする請求項１に記載の加熱調理器。
【請求項３】
調理開始後に前記調理データを所定の周期で前記記憶部に記憶したことを特徴とする請求項１に記載の加熱調理器。
【請求項４】
前記調理データが調理温度及び前記加熱部の出力を含むことを特徴とする請求項１〜請求項３のいずれかに記載の加熱調理器。
【請求項５】
前記調理データが調理中に一時停止を行う時期及び一時停止した際に報知するメッセージの内容を含むことを特徴とする請求項４に記載の加熱調理器。
【請求項６】
前記調理データが調理メニュー及び調理物の量を含むことを特徴とする請求項１〜請求項３のいずれかに記載の加熱調理器。
【請求項７】
電源の再投入時の調理物の状態に応じて前記記憶部から読み出した前記調理データの調理条件を補正したことを特徴とする請求項１〜請求項６のいずれかに記載の加熱調理器。
【請求項８】
前記加熱部がヒータを含み、電源の再投入時に継続される調理が前記ヒータにより調理物を加熱する調理メニューの場合に、調理時間の計時を前記加熱室が所定温度に到達するまで停止することを特徴とする請求項７に記載の加熱調理器。
【請求項９】
電源の再投入時の前記加熱室の温度が自動停止前の前記加熱室の温度よりも低い場合に、前記記憶部から読み出した前記調理データの調理条件に対して調理の加熱時間または加熱出力を増加する補正を行うことを特徴とする請求項７に記載の加熱調理器。
【請求項１０】
電源停止状態で計時を行う計時手段を備え、前記記憶部から読み出した前記調理データの調理条件に対して調理の加熱時間または加熱出力を増加する補正を行うとともに、電源の停止時間が長い場合に短い場合よりも補正量を大きくしたことを特徴とする請求項７に記載の加熱調理器。
【請求項１１】
電源が再投入された状態で所定時間の経過により電源が自動停止される際に、前記記憶部に記憶された前記調理データを削除したことを特徴とする請求項１〜請求項１０のいずれかに記載の加熱調理器。
【請求項１２】
動作プログラムを記憶するとともに開始された前記動作プログラムの進行状況及び前記動作プログラムによる制御状況のデータを記憶する記憶部と、操作を行う操作部とを備え、前記動作プログラムの一時停止状態で所定時間放置すると電源を自動停止する電気機器において、前記動作プログラムを一時停止して電源が自動停止した後に電源が再投入された際に、前記記憶部から前記データを読み出して一時停止された前記動作プログラムを継続して行うことを特徴とする電気機器。
【発明の詳細な説明】
【技術分野】
【０００１】
本発明は、所定時間放置した際に電源が自動停止される加熱調理器及び電気機器に関する。
【背景技術】
【０００２】
従来の加熱調理器は特許文献１に開示されている。この加熱調理器は調理物を収納する加熱室を備え、加熱室の前面は扉により開閉される。扉を開くと加熱調理器の電源が投入される。加熱調理器には調理操作を行う操作部（入力手段）が設けられる。操作部により調理メニュー等の調理条件を入力して調理の開始を指示すると、調理条件に基づく調理シーケンスが実行される。これにより、マグネトロンから成る加熱部により調理物を加熱して調理が行われる。
【０００３】
調理が終了すると調理物が取り出され、扉を閉じて次回の調理開始を待機する。この時、調理が終了した状態や調理開始を待機する状態で操作部による操作がなく所定時間放置された場合に、電源が自動停止される。これにより、加熱調理器の省電力化を図ることができる。
【先行技術文献】
【特許文献】
【０００４】
【特許文献１】特開２００５−３２６１３４号公報（第３頁−第９頁、第２図）
【発明の概要】
【発明が解決しようとする課題】
【０００５】
加熱調理器は調理開始後に使用者または調理シーケンスによって調理が一時停止される場合がある。この時、調理の一時停止状態が長時間継続されると電力を浪費する。このため、調理の一時停止状態で上記と同様に、操作部の操作がなく放置した際に電源を自動停止すると、省電力化を図ることができる。しかしながら、電源を再投入した際に電源停止時の状態から継続調理することができず、例えば最初から再度行われた場合に調理の良好な仕上がり状態が得られない問題があった。
【０００６】
本発明は、省電力化を図るとともに調理の良好な仕上がり状態を得ることのできる加熱調理器を提供することを目的とする。また本発明は、電源の再投入時に重複した動作を回避して省電力化を図ることのできる電気機器を提供することを目的とする。
【課題を解決するための手段】
【０００７】
上記目的を達成するために本発明は、調理物が収納される加熱室と、前記加熱室を加熱する加熱部と、動作プログラム及び調理メニューを記憶するとともに開始された調理の進行状況及び調理条件の調理データを記憶する記憶部と、調理操作を行う操作部とを備え、調理停止状態で所定時間放置すると電源を自動停止する加熱調理器において、調理を一時停止して電源が自動停止した後に電源が再投入された際に、前記記憶部から前記調理データを読み出して一時停止された調理を継続して行うことを特徴としている。
【０００８】
この構成によると、加熱調理器の電源を投入すると動作プログラムが起動する。操作部により調理メニュー等の調理条件の設定が行われて調理の開始が指示されると、調理シーケンスを導出して実行する。これにより、加熱部の加熱によって調理が行われ、調理が終了すると調理物が取り出されて次回の調理開始の待機状態となる。調理終了時や調理開始の待機時等の調理停止状態で操作部の操作がなく所定時間放置されると電源が自動停止される。また、調理を一時停止した際も同様に操作部の操作がなく所定時間放置されると電源が自動停止される。記憶部は開始された調理の進行状況及び調理条件の調理データを記憶し、電源が再投入されると記憶部から一時停止された調理の調理データが読み出される。そして、一時停止状態の調理が継続して行われる。
【０００９】
また本発明は、上記構成の加熱調理器において、調理を一時停止して電源が自動停止される際に、前記調理データを前記記憶部に記憶したことを特徴としている。
【００１０】
また本発明は、上記構成の加熱調理器において、調理開始後に前記調理データを所定の周期で前記記憶部に記憶したことを特徴としている。
【００１１】
また本発明は、上記構成の加熱調理器において、前記調理データが調理温度及び前記加熱部の出力を含むことを特徴としている。この構成によると、一時停止された調理の調理温度、加熱部の出力及び進行状況が記憶部に記憶され、電源を再投入した際に読み出される。そして、読み出された調理温度及び加熱部の出力によって残り時間の調理が実行される。
【００１２】
また本発明は、上記構成の加熱調理器において、前記調理データが調理中に一時停止を行う時期及び一時停止した際に報知するメッセージの内容を含むことを特徴としている。この構成によると、一時停止された調理の更に一時停止を行う時期及び一時停止した際に報知するメッセージの内容が記憶部に記憶され、電源を再投入した際に読み出される。そして、残り時間の調理が行われ、記憶部から読み出した一時停止の時期に到達するとメッセージが報知される。
【００１３】
また本発明は、上記構成の加熱調理器において、前記調理データが調理メニュー及び調理物の量を含むことを特徴としている。この構成によると、一時停止された調理の調理メニュー、調理物の量及び進行状況が記憶部に記憶され、電源を再投入した際に読み出される。そして、調理メニュー及び調理物の量に基づいて調理シーケンスが導出され、調理の残り時間の調理シーケンスが実行される。
【００１４】
また本発明は、上記構成の加熱調理器において、電源の再投入時の調理物の状態に応じて前記記憶部から読み出した前記調理データの調理条件を補正したことを特徴としている。この構成によると、電源停止によって調理物の温度等の状態が停止直前に対して変化するため、記憶部から読み出した調理データの加熱時間や加熱温度等の調理条件が調理物の状態に応じて補正される。
【００１５】
また本発明は、上記構成の加熱調理器において、前記加熱部がヒータを含み、電源の再投入時に継続される調理が前記ヒータにより調理物を加熱する調理メニューの場合に、調理時間の計時を前記加熱室が所定温度に到達するまで停止することを特徴としている。この構成によると、一時停止された調理の調理データが電源を再投入した際に記憶部から読み出される。そして、ヒータを含む加熱部によって加熱室が所定温度に到達するまで待機した後、残り時間の調理が実行される。
【００１６】
また本発明は、上記構成の加熱調理器において、電源の再投入時の前記加熱室の温度が自動停止前の前記加熱室の温度よりも低い場合に、前記記憶部から読み出した前記調理データの調理条件に対して調理の加熱時間または加熱出力を増加する補正を行うことを特徴としている。
【００１７】
この構成によると、温度センサ等によって加熱室の温度が検知され、加熱室が自動停止の直前に対して降温された場合に、記憶部から読み出した調理データの加熱時間や加熱温度を増加する補正が行われる。
【００１８】
また本発明は、上記構成の加熱調理器において、電源停止状態で計時を行う計時手段を備え、前記記憶部から読み出した前記調理データの調理条件に対して調理の加熱時間または加熱出力を増加する補正を行うとともに、電源の停止時間が長い場合に短い場合よりも補正量を大きくしたことを特徴としている。
【００１９】
この構成によると、タイマーや時計機能によって電源の停止時間が計時され、調理の再開時に記憶部から読み出した調理データの加熱時間や加熱温度を増加する補正が行われる。この時、停止時間が長くなると短い場合よりも加熱時間や加熱温度の増加量を大きくして調理が行われる。
【００２０】
また本発明は、上記構成の加熱調理器において、電源が再投入された状態で所定時間の経過により電源が自動停止される際に、前記記憶部に記憶された前記調理データを削除したことを特徴としている。
【００２１】
この構成によると、調理を一時停止した状態で電源が自動停止され、電源が再投入されると調理を継続する指示を待機した待機状態になる。待機状態で所定時間放置されると、電源が再度自動停止される。この時、記憶部に記憶された一時停止した調理の調理データが削除され、次に電源を投入した際に使用者が調理メニュー等を再設定して調理が行われる。
【００２２】
また本発明は、動作プログラムを記憶するとともに開始された前記動作プログラムの進行状況及び前記動作プログラムによる制御状況のデータを記憶する記憶部と、操作を行う操作部とを備え、前記動作プログラムの一時停止状態で所定時間放置すると電源を自動停止する電気機器において、前記動作プログラムを一時停止して電源が自動停止した後に電源が再投入された際に、前記記憶部から前記データを読み出して一時停止された前記動作プログラムを継続して行うことを特徴としている。
【発明の効果】
【００２３】
本発明の加熱調理器によると、開始された調理の進行状況及び調理条件の調理データを記憶部に記憶する。そして、調理を一時停止して電源が自動停止された後に電源が再投入された際に記憶部から調理データを読み出して一時停止された調理を継続して行うので、省電力化を図ることができるとともに一時停止した調理に対して良好な仕上がり状態を得ることができる。
【００２４】
また本発明の電気機器によると、開始された動作プログラムの進行状況及び制御状況のデータを記憶部に記憶する。そして、動作プログラムを一時停止して電源が自動停止された後に電源が再投入された際に記憶部からデータを読み出して一時停止された動作プログラムを継続して行うので、重複した動作を回避して省電力化を図ることができる。
【図面の簡単な説明】
【００２５】
【図１】本発明の実施形態の加熱調理器を示す斜視図
【図２】本発明の実施形態の加熱調理器内部を示す概略図
【図３】本発明の実施形態の加熱調理器の操作パネルを示す正面図
【図４】本発明の実施形態の加熱調理器の構成を示すブロック図
【図５】本発明の実施形態の加熱調理器の動作を示すフローチャート
【発明を実施するための形態】
【００２６】
以下に本発明の実施形態を図面を参照して説明する。図１は一実施形態の加熱調理器を示す斜視図である。加熱調理器１は前面を開口して調理物Ｗ（図２参照）を収納する加熱室４が本体部２に設けられ、本体部２の前面は下端で枢支される扉３により開閉される。扉３の中央部には加熱室４内を視認する窓５が設けられ、窓５の側方には操作パネル４０が配される。
【００２７】
図２は加熱調理器１の内部の概略図を示している。加熱室４の天井面には複数の小孔により形成された開口部２０が設けられる。天井面の上方にはガラス管ヒータ等により形成される上ヒータ２３が配される。上ヒータ２３の輻射熱が開口部２０を介して加熱室４内に供給され、調理物Ｗが加熱される。
【００２８】
加熱室４の底面には複数の小孔により形成された開口部２１が設けられる。底面の下方にはガラス管ヒータ等により形成される下ヒータ２４が配される。下ヒータ２４の輻射熱が開口部２１を介して加熱室４内に供給され、調理物Ｗが加熱される。
【００２９】
下ヒータ２４の下方には導波管３０が設けられ、導波管３０の一端にはマイクロ波を発生するマグネトロン３１が配される。導波管３０の内部にはアンテナモータ３２ａにより回転するアンテナ３２が設けられる。マグネトロン３１により発生するマイクロ波が導波管３０を導波して加熱室４に供給され、調理物Ｗが加熱される。従って、上ヒータ２３、下ヒータ２４及びマグネトロン３１は調理物Ｗを加熱する加熱部を構成する。尚、アンテナ３２の回転によって加熱室４に均一にマイクロ波を供給することができる。
【００３０】
図３は操作パネル４０の正面図を示している。操作パネル４０の上部には表示部４１が配され、下部には操作部４２が配される。表示部４１は液晶パネル等により形成され、調理メニューの選択画面や調理の進行状況等を表示するとともに使用者に対する報知を行う。
【００３１】
操作部４２はスタートキー４３及びクリアキー４４を含む複数の操作キーにより構成される。操作部４２によって調理モードや調理メニューの選択操作を行うとともに加熱調理器１に対する指示を行う。スタートキー４３は調理の開始や再開を指示し、クリアキー４４は後述するように一時停止した調理の調理データを削除する。また、クリアキー４４にはＬＥＤ４４ａが設けられる。ＬＥＤ４４ａの点灯及び表示部４１に表示したメッセージによって一時停止された調理の調理データの記憶状態であることが使用者に対して報知される。
【００３２】
図４は加熱調理器１の構成を示すブロック図である。加熱調理器１は各部を制御する制御部５０が設けられる。制御部５０にはマグネトロン３１、アンテナモータ３２ａ、上ヒータ２３、下ヒータ２４、温度センサ５１、操作部４２、表示部４１、記憶部５２が接続される。また、制御部５０にはタイマカウンタが内蔵される。
【００３３】
温度センサ５１は加熱室４内の温度を検知する。温度センサ５１の検知によって調理の終了時期等が判別される。記憶部５２はＲＯＭ及びＲＡＭから成り、加熱調理器１の動作プログラムや調理メニューのデータベース等を記憶するとともに制御部５０による演算結果を一時記憶する。また、記憶部５２は書き込み可能なＲＯＭ（フラッシュメモリ等）を有し、電源停止時に一時停止状態の調理の調理データを記憶する。
【００３４】
図５は加熱調理器１の動作を示すフローチャートである。扉３が開かれると電源が投入され、記憶部５２から読み出された動作プログラムが起動して加熱調理器１の動作が開始される。ステップ＃１１では記憶部５２に記憶されるフラグＦが１を代入したセット状態か否かが判断される。フラグＦは電源が自動停止される際に一時停止状態の調理があると、後述するステップ＃３２で１を代入してセットされる。また、フラグＦはクリアキー４４の操作または調理の実行によってそれぞれ後述するステップ＃１６、＃１９で０を代入してリセットされる。
【００３５】
フラグＦがセット状態の場合はステップ＃１２に移行する。ステップ＃１２〜＃１６については後述する。フラグＦがセット状態でない場合はステップ＃１７でタイマカウンタの計時によって操作部４２による操作が行われずに所定時間放置されたか否かが判断される。所定時間が経過する前に操作部４２によって調理メニューの選択操作等が行われた場合はタイマカウンタがリスタートされる。
【００３６】
操作部４２による操作がなく所定時間が経過するとステップ＃３１に移行する。所定時間が経過していない場合はステップ＃１８でスタートキー４３の操作により調理が開始されたか否かが判断される。調理が開始されていない場合はステップ＃１１に戻り、ステップ＃１１〜＃１８が繰り返し行われて待機状態となる。
【００３７】
待機状態で操作部４２の操作によって調理メニュー、調理物の量、加熱部による加熱の強弱等の調理条件が入力される。これにより、記憶部５２に記憶されるデータベースから調理条件に基づいて抽出したデータによって調理シーケンスが導出され、記憶部５２に一時記憶される。
【００３８】
スタートキー４３が操作されると、ステップ＃１９でセット状態のフラグＦは０を代入してリセットされ、ステップ＃２０で調理が開始される。ステップ＃２１では調理シーケンスまたは使用者によって調理が一時停止されたか否かが判断される。調理が一時停止されていない場合はステップ＃２２で調理が終了したか否かが判断される。調理が終了していない場合はステップ＃２１に移行し、ステップ＃２１、＃２２が繰り返し行われる。
【００３９】
表１は調理シーケンスの一例を示している。調理メニューはベイクドポテトであり、数量（調理物の量）は２個である。
【００４０】
【表１】
2013167422.tif 000003
【００４１】
調理シーケンスは複数のステージから構成され、ステージ毎の調理時間、加熱条件、調理温度、一時停止の時期、一時停止時のメッセージが設定される。第１ステージは予熱工程であり、調理物を加熱室４に投入せずに庫内温度が２５０℃に到達するまで上ヒータ２３及び下ヒータ２４が１００％の出力で駆動される。
【００４２】
第１ステージの終了時には調理シーケンスによって調理が一時停止される。この時、表示部４１に「ポテトを投入して下さい（PUT POTETO IN OVEN）」等のメッセージが表示され、調理物Ｗの投入を待機する。扉３を開閉して調理物Ｗが投入されると、表示部４１に「スタートキーを押して下さい（PRESS START）」等のメッセージが表示され、スタートキー４３が操作されると第２ステージに移行する。
【００４３】
第２ステージでは庫内温度が２５０℃を維持するようにマグネトロン３１、上ヒータ２３及び下ヒータ２４がオンオフ制御され、設定された調理時間の調理が行われる。マグネトロン３１、上ヒータ２３及び下ヒータ２４のＯＮ状態の出力はそれぞれ１０％、５０％、９０％である。
【００４４】
第２ステージの終了時には調理シーケンスによって調理が一時停止される。この時、表示部４１に「ポテトを裏返して下さい（TURN OVER）」等のメッセージが表示され、調理物Ｗが裏返しされるのを待機する。扉３を開閉して調理物Ｗが裏返されると、表示部４１に「スタートキーを押して下さい（PRESS START）」等のメッセージが表示され、スタートキー４３が操作されると第３ステージに移行する。
【００４５】
第３ステージでは庫内温度が２５０℃を維持するようにマグネトロン３１、上ヒータ２３及び下ヒータ２４がオンオフ制御され、設定された調理時間の調理が行われる。マグネトロン３１、上ヒータ２３及び下ヒータ２４のＯＮ状態の出力はそれぞれ１０％、５０％、９０％である。第３ステージが終了すると第４ステージに移行する。
【００４６】
第４ステージではマグネトロン３１を停止して庫内温度が２５０℃を維持するように上ヒータ２３及び下ヒータ２４がオンオフ制御され、設定された調理時間の調理が行われる。上ヒータ２３及び下ヒータ２４のＯＮ状態の出力はそれぞれ５０％、９０％である。第４ステージが終了すると、「停止（STAND）」等のメッセージが表示部４１に表示される。
【００４７】
上記の調理シーケンスや使用者の操作によって調理が一時停止されると、ステップ＃２１の判断でステップ＃１１に移行する。そして、所定時間放置された場合はステップ＃１７の判断でステップ＃３１に移行し、スタートキー４３が操作されるとステップ＃１８の判断で調理が継続される。また、調理が終了すると、ステップ＃１１に戻り、次の調理の開始が待機される。
【００４８】
ステップ＃１７の判断によって操作部４２による操作がなく所定時間放置されると、ステップ＃３１で調理の一時停止状態か否かが判断される。調理の一時停止状態でない場合はステップ＃３４に移行する。ステップ＃３４、＃３５については後述する。
【００４９】
調理の一時停止状態の場合はステップ＃３２に移行し、一時停止した調理の進行状況及び調理条件の調理データが記憶部５２のＲＯＭに記憶される。調理の進行状況の調理データは調理の経過時間または残り時間のデータから成る。調理条件の調理データは調理シーケンスを記憶してもよく、調理開始時に入力された調理条件を記憶して調理の再開時に調理シーケンスを再度導出してもよい。調理シーケンスを記憶するとデータ量が多くなるが、再設定が不要となるため調理時間を短縮できるのでより望ましい。
【００５０】
即ち、記憶する調理データを調理開始時に入力された調理条件とし、調理メニュー、調理物の量、加熱部による加熱の強弱設定等を記憶すればよい。また、記憶する調理データを調理シーケンスとし、各ステージの調理時間、調理温度、加熱部の出力、一時停止を行う時期、一時停止した際に報知するメッセージ等を記憶すればよい。
【００５１】
ステップ＃３３ではフラグＦが１を代入してセットされる。ステップ＃３６では電源を停止して動作プログラムが終了する。これにより、操作がなく放置された際に電源を自動停止して加熱調理器１の省電力化を図ることができる。この時、待機電力がない場合であっても、調理データは記憶部５２のＲＯＭに記憶されるため保持される。
【００５２】
電源を投入してステップ＃１１でフラグＦが１の場合はステップ＃１２で記憶部５２から調理データが読み出される。ステップ＃１３ではクリアキー４４のＬＥＤ４４ａが点灯し、一時停止状態の調理があることを使用者に対して報知する。表示部４１にメッセージを表示して一時停止状態の調理があることを報知してもよい。
【００５３】
ステップ＃１４ではクリアキー４４が操作されたか否かが判断される。クリアキー４４が操作されていない場合はステップ＃１７に移行する。クリアキー４４が操作されると、ステップ＃１５で記憶部５２に記憶された一時停止した調理の調理データが削除される。この時、ＬＥＤ４４ａが消灯する。また、ステップ＃１６ではフラグＦが０を代入してリセットされる。これにより、次の調理の調理条件の入力を待機する。
【００５４】
そして、スタートキー４３が操作されるまでステップ＃１１〜＃１８が繰り返し行われ、所定時間放置されるとステップ＃３１に移行する。クリアキー４４の操作がなくスタートキー４３が操作されると、記憶部５２から読み出した調理データに基づく調理シーケンスが実行される。これにより、電源停止時に一時停止状態の調理が継続して行われ、良好な仕上がり状態を得ることができる。
【００５５】
尚、電源を再投入して一時停止された調理を再開する際に加熱室４の温度が低下している場合がある。このため、調理シーケンスが上ヒータ３２及び下ヒータ２４の一方または両方を駆動する場合に、加熱室４が所定温度に到達するまで調理時間の計時を停止してもよい。これにより、より良好な仕上がり状態を得ることができる。
【００５６】
操作部４２による操作がなくステップ＃３１に移行すると、調理の一時停止状態ではないためステップ＃３４に移行する。ステップ＃３４では使用者に調理継続の意思がないと判断して記憶部５２に記憶された一時停止状態の調理の調理データが削除される。ステップ＃３５ではフラグＦが０を代入してリセットされる。そして、ステップ＃３６で電源を停止して動作プログラムが終了する。
【００５７】
本実施形態によると、開始された調理の進行状況及び調理条件の調理データを記憶部５２に記憶する。そして、調理を一時停止して電源が自動停止された後に電源が再投入された際に記憶部５２から調理データを読み出して一時停止された調理を継続して行うので、省電力化を図ることができるとともに一時停止した調理に対して良好な仕上がり状態を得ることができる。
【００５８】
また、調理を一時停止して電源が自動停止される際に、調理データを記憶部５２に記憶したので、電源の再投入時に調理を継続できる加熱調理器１を容易に実現することができる。
【００５９】
尚、調理の開始後に周期的に調理データを記憶部５２に記憶してフラグＦを１にセットしてもよい。これにより、一時停電が発生して電源が再投入された場合においても継続して調理を行うことができる。
【００６０】
また、記憶部５２に記憶される一時停止した調理の調理データが調理温度及び加熱部の出力を含むので、調理を容易に継続することができる。
【００６１】
また、記憶部５２に記憶される一時停止した調理の調理データが調理中に一時停止を行う時期及び一時停止した際に報知するメッセージの内容を含むので、調理を更に容易に継続することができる。
【００６２】
また、記憶部５２に記憶される一時停止した調理の調理データが調理メニュー及び調理物の量を含むので、調理シーケンスを容易に再現することができる。
【００６３】
また、電源が再投入された状態で所定時間の経過により電源が自動停止される際に、調理継続の意思がないと判断して記憶部５２に記憶された調理データを削除する（ステップ＃３４）。これにより、次に電源を投入した際に使用者が調理メニュー等の設定状態を誤認することを防止し、使用者によって調理メニュー等が再設定される。
【００６４】
本実施形態において、電源の自動停止によって調理物の温度等の状態が変化する。このため、電源の再投入時の調理物の状態に応じて記憶部５２から読み出した調理データの調理条件を補正してもよい。これにより、調理物のより良好な仕上がり状態を得ることができる。
【００６５】
例えば、電源の再投入時に継続される調理が上ヒータ２３及び下ヒータ２４の一方または両方により調理物Ｗを加熱する調理メニューの場合に、調理時間の計時を加熱室４が所定温度に到達するまで停止するように調理条件を補正してもよい。
【００６６】
また、電源の再投入時の加熱室４の温度が自動停止前の加熱室４の温度よりも低い場合に、記憶部５２から読み出した調理データの調理条件に対して調理の加熱時間または加熱出力を増加する補正を行ってもよい。
【００６７】
また、電源停止状態で計時を行うタイマーや時計機能の計時手段を設け、記憶部５２から読み出した調理データの調理条件に対して調理の加熱時間または加熱出力を増加する補正を行ってもよい。この時、電源の停止時間が長い場合に短い場合よりも補正量を大きくするとよい。
【００６８】
また本実施形態において、一時停止した調理の調理データを記憶（フラグＦ＝１）して扉３の開閉により電源が投入された際に、所定時間放置されると電源が自動停止される。この時、調理物Ｗの取り出しが行われたと判断し、記憶部５２に記憶された調理データを削除してフラグＦをリセットしてもよい。これにより、クリアキー４４の操作が不要となるため利便性を向上することができる。
【００６９】
また、使用者により一時停止した調理の残り時間が所定時間（全調理時間に対して数パーセント程度）よりも少ない場合は調理終了と判断し、ステップ＃３１からステップ＃３４に移行してもよい。
【００７０】
本実施形態では使用者の操作や動作プログラムによって調理を一時停止した際に電源が自動停止される加熱調理器１について説明しているが、他の電気機器であってもよい。即ち、電気機器のステップ処理される動作プログラムを使用者の操作や動作プログラム自身によって一時停止した際に所定時間が経過すると電源が自動停止される。この時、動作プログラムの進行状況及び制御状況のデータを記憶部に記憶し、電源が再投入された際に記憶部から進行状況及び制御状況のデータを読み出して一時停止された動作プログラムを継続して行う。
【００７１】
これにより、電源の再投入時に重複した動作を回避して省電力化を図ることができる。この時、動作プログラムの進行状況及び制御状況を自動停止される際に記憶部に記憶してもよく、動作プログラムの開始後周期的に記憶部に記憶してもよい。
【００７２】
一例として、洗い工程、すすぎ工程、脱水工程を順に行う洗濯機において、洗濯物の量や水量等の制御状況と進行状況とから成るデータを記憶部に記憶する。例えば使用者の操作によって洗い工程後に一時停止された際に、操作がなく所定時間が経過すると電源が自動停止される。電源が再投入されると、制御状況及び進行状況のデータを記憶部から読み出し、継続してすすぎ工程を行う。これにより、洗い工程が重複して行われず、省電力化を図るとともに洗濯物の傷みを抑制することができる。
【産業上の利用可能性】
【００７３】
本発明によると、所定時間放置した際に電源が自動停止される加熱調理器や洗濯機等の電気機器に利用することができる。
【符号の説明】
【００７４】
１    加熱調理器
２    本体部
３    扉
４    加熱室
５    窓
２３    上ヒータ
２４    下ヒータ
２５    載置網
３０    導波管
３１    マグネトロン
３２    アンテナ
４０    操作パネル
４１    表示部
４２    操作部
４３    スタートキー
４４    クリアキー
４４ａ  ＬＥＤ
５０    制御部
５１    温度センサ
５２    記憶部
【図１】
2013167422.tif 000004
【図２】
2013167422.tif 000005
【図３】
2013167422.tif 000006
【図４】
2013167422.tif 000007
【図５】
2013167422.tif 000008